(57)【要約】【課題】顧客の購買意欲を低下させることなく、棚板上の商品が一度に大量に盗難に遭うことを防止できるようにした商品陳列棚を提供する。【解決手段】上下複数段の棚板６を備える商品陳列棚において、下段の棚板６の前端部と上段の棚板６の前端部との間に、高さを上下の棚板６の間隔とほぼ同一とした柵状のフェンス８を開閉可能として設け、かつフェンス８を、枠体１０に複数の縦桟１１を左右方向に互いに離間させて取り付けたものとし、互いに隣接する縦桟１１同士、または縦桟１１と枠体１０との間から、下段の棚板６上の商品を取り出し可能とする。【選択図】      図１
2009201757.tif 000002
【特許請求の範囲】
【請求項１】
上下複数段の棚板を備える商品陳列棚において、
下段の棚板の前端部と上段の棚板の前端部との間に、高さを上下の棚板の間隔とほぼ同一とした柵状のフェンスを開閉可能として設け、かつフェンスを、枠体に複数の縦桟を左右方向に互いに離間させて取り付けたものとし、互いに隣接する縦桟同士、または縦桟と枠体との間から、下段の棚板上の商品を取り出し可能としたことを特徴とする商品陳列棚。
【請求項２】
フェンスにおける複数の縦桟の左右方向の間隔を変更可能とした請求項１記載の商品陳列棚。
【請求項３】
フェンスの枠体における左右方向を向く上下１対の横杆に、上下方向を向く多数の嵌合孔を設け、それらの嵌合孔に、縦桟を選択的に嵌合することにより、複数の縦桟の左右方向の間隔を変更可能とした請求項２記載の商品陳列棚。
【請求項４】
フェンスと上下いずれかの棚板との間に、前記フェンスを閉止状態で施錠しうる施錠装置を設けた請求項１〜３のいずれかに記載の商品陳列棚。
【請求項５】
フェンスの下端部を、下段の棚板に左右方向を向く軸をもって枢着し、フェンスの上端部と上段の棚板との間に施錠装置を設けた請求項４記載の商品陳列棚。
【請求項６】
フェンスの下端に、複数の脚杆を、左右方向に互いに離間させて下向き突設し、この脚杆を、下段の棚板の前部に設けた受孔に嵌合することにより、フェンスを、前傾可能、かつ下段の棚板から取り外し可能とし、フェンスの上端部と上段の棚板との間に施錠装置を設けた請求項４記載の商品陳列棚。
【請求項７】
施錠装置を、フェンスに設けられ、前方よりキーを挿入して回動させることにより、キーレバーを施錠位置と解錠位置とに移動することができるようにしたキーシリンダ錠と、上段または下段の棚板に設けられ、フェンスの閉止状態において、キーレバーが施錠位置に移動させられることにより、キーレバーと係合して、フェンスを開扉不能とし、キーレバーが解錠位置に移動させられることにより、キーレバーが離脱して、フェンスを開扉可能とする係止片とを備えるものとした請求項４〜６のいずれかに記載の商品陳列棚。
【発明の詳細な説明】
【技術分野】
【０００１】
本発明は、スーパーマーケットやドラッグストア等で使用される商品陳列棚に関する。
【背景技術】
【０００２】
従来のこの種の商品陳列棚には、盗難防止用にガラス戸を前面に設け、それらを施錠装置をもって施錠したもの(例えば特許文献１参照)や、商品陳列棚の上にフェンスを設けたもの(例えば特許文献２または３参照)等がある。
【特許文献１】特開２０００−２９１３０４号公報
【特許文献２】特許第３４７５３４６号公報
【特許文献３】特開平１１−２９０１６９号公報
【発明の開示】
【発明が解決しようとする課題】
【０００３】
しかし、特許文献１に記載されているものにおいては、顧客が商品を購入する際、ガラス戸に設けた施錠装置を店員に解錠してもらった上で、商品を取り出さなくてはならないため、購買意欲が低下するおそれがある。
【０００４】
また、特許文献２および３に記載されているものにおいては、商品陳列棚に設けたフェンスの上方の空間から商品が取り出されて、盗難に遭うおそれがある。
【０００５】
本発明は、従来の技術が有する上記のような問題点に鑑み、顧客の購買意欲を低下させることなく、棚板上の商品が一度に大量に盗難に遭うことを防止できるようにした商品陳列棚を提供することを目的としている。
【課題を解決するための手段】
【０００６】
本発明によると、上記課題は次のようにして解決される。
(１)  上下複数段の棚板を備える商品陳列棚において、下段の棚板の前端部と上段の棚板の前端部との間に、高さを上下の棚板の間隔とほぼ同一とした柵状のフェンスを開閉可能として設け、かつフェンスを、枠体に複数の縦桟を左右方向に互いに離間させて取り付けたものとし、互いに隣接する縦桟同士、または縦桟と枠体との間から、下段の棚板上の商品を取り出し可能とする。
【０００７】
このような構成とすると、互いに隣接する縦桟同士、または縦桟と枠体との間から、下段の棚板上の商品を１個ずつなら取り出すことができるので、顧客の購買意欲を低下させることはない。また、下段の棚板上のフェンスは、上段の棚板まで達しているので、下段の棚板上の商品が、一度に大量に盗難に遭うおそれはない。
【０００８】
(２)  上記(１)項において、フェンスにおける複数の縦桟の左右方向の間隔を変更可能とする。
【０００９】
このような構成とすると、縦桟の間隔を、棚板上に陳列する商品の大きさに合わせて、それを取り出し易い間隔に変更することができる。
【００１０】
(３)  上記(２)項において、フェンスの枠体における左右方向を向く上下１対の横杆に、上下方向を向く多数の嵌合孔を設け、それらの嵌合孔に、縦桟を選択的に嵌合することにより、複数の縦桟の左右方向の間隔を変更可能とする。
【００１１】
このような構成とすると、フェンスを前傾させた状態で、各縦杆を上方に抜き出して、別の嵌合孔に差し込むことにより、縦桟の間隔を簡単に変更することができる。
【００１２】
(４)  上記(１)〜(３)項のいずれかにおいて、フェンスと上下いずれかの棚板との間に、前記フェンスを閉止状態で施錠しうる施錠装置を設ける。
【００１３】
このような構成とすると、下段の棚板上の商品が盗難に遭うのを、確実に防止することができる。
【００１４】
(５)  上記(４)項において、フェンスの下端部を、下段の棚板に左右方向を向く軸をもって枢着し、フェンスの上端部と上段の棚板との間に施錠装置を設ける。
【００１５】
このような構成とすると、フェンスを前方に倒して、下段の棚板上の商品を容易に出し入れすることができるとともに、施錠装置がフェンスの上部に設けられているので、施錠操作し易い。
【００１６】
(６)  上記(４)項において、フェンスの下端に、複数の脚杆を、左右方向に互いに離間させて下向き突設し、この脚杆を、下段の棚板の前部に設けた受孔に嵌合することにより、フェンスを、前傾可能、かつ下段の棚板から取り外し可能とし、フェンスの上端部と上段の棚板との間に施錠装置を設ける。
【００１７】
このような構成とすると、フェンスを容易に前傾させることができるとともに、フェンスを完全に取り外して、下段の棚板上に商品を出し入れすることもできる。
【００１８】
(７)  上記(４)〜(６)項のいずれかにおいて、施錠装置を、フェンスに設けられ、前方よりキーを挿入して回動させることにより、キーレバーを施錠位置と解錠位置とに移動することができるようにしたキーシリンダ錠と、上段または下段の棚板に設けられ、フェンスの閉止状態において、キーレバーが施錠位置に移動させられることにより、キーレバーと係合して、フェンスを開扉不能とし、キーレバーが解錠位置に移動させられることにより、キーレバーが離脱して、フェンスを開扉可能とする係止片とを備えるものとする。
【００１９】
このような構成とすると、施錠装置の構成を簡素化することができる。
【発明の効果】
【００２０】
本発明によると、顧客の購買意欲を低下させることなく、棚板上の商品が一度に大量に盗難に遭うことを防止できるようにした商品陳列棚を提供することができる。
【発明を実施するための最良の形態】
【００２１】
以下、本発明の実施形態を、図面に基づいて説明する。
図１〜図４は、本発明の第１の実施形態を示す。
図１〜図３に示すように、この商品陳列棚は、上下両端部の対向面同士を、横連結杆(図示略)により連結して左右方向に列設した複数の支柱１、１と、各支柱１の下端部の前面に取り付けられた前方を向くベース脚(図示略)と、上下の横連結杆と隣接する左右の支柱１とにより囲まれた空間内に嵌合した背面板２とを備えてなる公知の構成と同一の基本構造を有している。
【００２２】
各支柱１の前面には、多数の係合孔３が、左右２列として、上下方向に等間隔をもって設けられており、左右の任意の係合孔３、３に、それぞれ棚板支持用のブラケット４の後端部に設けたフック５を係止し、かつ左右のブラケット４上に、棚板６の両側端部を支持することにより、左右の支柱１の前面に、複数の棚板６が多段状に架設されている。
【００２３】
各棚板６の前端面には、商品名や価格等を表示したプライスカード等を取り付けるための名札差し７が取り付けられている。
【００２４】
下段の棚板６の前端部と上段の棚板６の前端部との間には、高さを上下の棚板６、６の間隔とほぼ同一とした柵状のフェンス８が、その下端部を左右方向を向く枢軸９ａ(図２参照)を有する左右１対のヒンジ９、９をもって、下段の棚板６の前端部上面に枢着することにより、上端部を前方に開閉可能として設けられている。
【００２５】
このフェンス８は、長さを上下の棚板６、６の間隔とほぼ同一とした上下方向を向く左右１対の縦杆１０ａ、１０ａの上端部同士、および下端部同士を、各棚板６の前端部の左右方向の長さとほぼ同一とした左右方向を向く横杆１０ｂ、１０ｂをもって互いに連結してなる横長方形の枠体１０と、互いに左右方向に離間するようにして、枠体１０における上下の横杆１０ｂ、１０ｂに上端部および下端部がそれぞれ支持された複数の縦桟１１とを備えている。
【００２６】
この例においては、枠体１０における上下の横杆１０ｂ、１０ｂに、上下方向を向く多数の嵌合孔(下方の横杆１０ｂのものは、有底孔としてある)１２を、左右方向に微小ピッチをもって穿設し、これらの嵌合孔１２に、縦桟１１を選択的に嵌合することにより、複数の縦桟１１の左右方向の間隔、および縦桟１１と縦杆１０ａとの間隔を、下段の棚板６上に載置する商品(図示略)の大きさに合わせて、それを前方より取り出しやすい間隔に、自由に変更しうるようにしてある。
【００２７】
フェンス８の前面中央上部には、フェンス８を閉止状態で、上段の棚板６に対して施錠しうる施錠装置１３が設けられている。
この施錠装置１３は、図示の例では、フェンス８に設けられ、前方よりキー(図示略)を挿入して回動させることにより、キーレバー１４を、図４に破線で示す施錠位置と、同じく２点鎖線で示す解錠位置とに回動することができるようにしたキーシリンダ錠１５と、上段の棚板６の中央部下面より垂下するように設けられ、フェンス８の閉止状態において、キーレバー１４が施錠位置に移動させられることにより、キーレバー１４と係合して、フェンス８を開扉不能とし、キーレバー１４が解錠位置に移動させられることにより、キーレバー１４が離脱して、フェンス８を開扉可能とする係止片１６とを備えるものとしてある。
【００２８】
係止片１６には、フェンス８の閉止時に、キーシリンダ錠１５との後部と、解錠位置に位置しているキーレバー１４とが嵌合しうるようにした、右方に開口するＵ字状の切欠き１７が設けられている。
【００２９】
下段の棚板６の両側端部の上面には、高さを上下の棚板６、６の間隔とほぼ同一とした前後方向を向く固定式のフェンス１８が設けられている。このフェンス１８は、方形の枠体１９と、互いに前後方向に離間するようにして、上下の端部が枠体１９に固着された複数の縦桟２０とを備えており、下端部および上端部が、下段の棚板６および上段の棚板６に、止めねじ(図示略)またはその他の固定手段をもって固定されている。
フェンス１８における縦桟２０の相互の間隔、および縦桟２０と枠体１９の前後の端部との間隔は、下段の棚板６上に載置する最小の商品を取り出せない程度のものとするのが好ましい。
【００３０】
第１の実施形態においては、フェンス８における縦桟１１の相互の間隔、および縦桟１１と縦杆１０ａとの間隔を、下段の棚板６上に載置する商品を、１個ずつなら取り出せるようなものとしておくことにより、フェンス８を閉じて、施錠装置１３を施錠している状態でも、顧客は、フェンス８を通して、下段の棚板６上の商品を視認し、選択した上で、購入しようとする商品を、フェンス８における縦桟１１の相互の間隔、または縦桟１１と縦杆１０ａとの間から、１個ずつなら取り出すことができるので、顧客の購買意欲を低下させることはなく、しかも、１個ずつしか取り出すことができないので、下段の棚板６上の商品が、まとめて大量に盗難に遭うおそれを少なくすることができる。すなわち、商品を１個ずつしか取り出せないとすると、大量に窃盗しようとする意欲がそがれ、それだけで十分な盗難防止効果が得られる。
【００３１】
下段の棚板６上に、商品をまとめて出し入れしたい場合は、施錠装置１３を解錠し、フェンス８を前方に開けばよい。
また、下段の棚板６上に載置する商品の大きさが互いに異なる場合は、その前方に位置するフェンス８の縦桟１１の間隔を、上述のようにして、適宜変更すればよい。
すなわち、施錠装置１３を解錠し、フェンス８を斜め前方に開いた状態で、縦桟１１を嵌合する嵌合孔１２、１２を、商品の大きさや載置する場所に応じて、適宜入れ替えればよい。
【００３２】
図５は、本発明の第２の実施形態を示す。
この商品陳列棚においては、フェンス８の下端に、複数(この例では２個)の脚杆２１、２１を、左右方向に互いに離間させて下向き突設し、この脚杆２１、２１を、下段の棚板６の前部に設けた受孔２２、２２に嵌合することにより、フェンス８を、前傾可能、かつ下段の棚板６から取り外し可能とし、フェンス８の上端部と上段の棚板６との間に施錠装置１３を設けてある。
その他の構成は、第１の実施形態におけるのと同一であり、それらについては、同一の部材に同一の符号をもって図示するに止め、詳細な説明は省略する。
【００３３】
このような構成とすると、施錠装置１３を解錠した状態で、フェンス８を容易に前傾させることができるとともに、フェンス８を下段の棚板６から完全に取り外して、下段の棚板６上に商品を出し入れすることもできる。
【００３４】
本発明は、上記実施形態のみに限定されるものではなく、特許請求の範囲を逸脱しない範囲で、変形した態様での実施が可能である。
例えば、第１の実施形態では、フェンス８を下段の棚板６に枢着し、施錠装置１３をフェンス８の上端部と上段の棚板６との間に設けてあるが、フェンス８を上段の棚板６に枢着し、施錠装置１３をフェンス８の下端部と下段の棚板６との間に設けてよく、また施錠装置１３におけるキーシリンダ錠１５を、上段の棚板６や下段の棚板６の前端部に設け、そのキープレートが、フェンス８に係脱するようにしてもよい。さらに、施錠装置１３を、キーシリンダ錠１５以外の、例えばダイヤル錠や鎌錠等を用いるものとしてもよい。
【００３５】
また、フェンス８における複数の縦桟１１の左右方向の間隔を変更可能とする手段は、上記のような多数の嵌合孔１２を用いるものだけでなく、例えば、各縦桟１１の上下の端部を、枠体１０における上下の横杆１０ｂ、１０ｂに、左右方向に摺動自在に嵌合し、それらを、任意の位置で固定する固定手段を設けるようにしてもよい。
さらに、施錠装置１３付きのフェンス８を、棚板６の側面側に設けてもよい。
【図面の簡単な説明】
【００３６】
【図１】本発明の第１の実施形態における要部の斜視図である。
【図２】同じく、側面のフェンスを省略して示す側面図である。
【図３】同じく分解斜視図である。
【図４】施錠装置の拡大正面図である。
【図５】本発明の第２の実施形態における要部の分解斜視図である。
【符号の説明】
【００３７】
１  支柱
２  背面板
３  係合孔
４  ブラケット
５  フック
６  棚板
７  名札差し
８  フェンス
９  ヒンジ
９ａ枢軸
１０  枠体
１０ａ縦杆
１０ｂ横杆
１１  縦桟
１２  嵌合孔
１３  施錠装置
１４  キーレバー
１５  キーシリンダ錠
１６  係止片
１７  切欠き
１８  フェンス
１９  枠体
２０  縦桟
２１  脚杆
２２  受孔
【図１】
2009201757.tif 000003
【図２】
2009201757.tif 000004
【図３】
2009201757.tif 000005
【図４】
2009201757.tif 000006
【図５】
2009201757.tif 000007